(57)【要約】【課題】遊技盤に対する遊技部材の取り付け作業を低コスト下で容易に行うことができる遊技機を提供する【解決手段】遊技球が転動流下する遊技領域を備え、遊技領域に遊技部材を取り付けた遊技盤と、遊技部材の遊技盤への取付面側には第１のベルクロテープが設けられ、遊技盤の遊技部材と対面する部分には、第１のベルクロテープと結合可能な第２のベルクロテープが設けられ、遊技部材は、第１のベルクロテープと第２のベルクロテープとの結合により遊技盤に取り付けられる。【選択図】図４
2008029567.tif 000002
【特許請求の範囲】
【請求項１】
遊技球が転動流下する遊技領域を備え、当該遊技領域に遊技部材を取り付けた遊技盤を有し、
前記遊技部材の前記遊技盤への取付面側には第１のベルクロテープが設けられ、
前記遊技盤の前記遊技部材と対面する部分には、前記第１のベルクロテープと結合可能な第２のベルクロテープが設けられ、
前記遊技部材は、前記第１のベルクロテープと前記第２のベルクロテープとの結合により前記遊技盤に取り付けられる
ことを特徴とする遊技機。
【請求項２】
前記遊技部材の前記取付面側は、第１の嵌合部が設けられ、
前記遊技盤の前記遊技部材と対向する部分には、前記第１の嵌合部と凹凸嵌合する第２の嵌合部が設けられ、
前記遊技部材は、前記第１の嵌合部と前記第２の嵌合部との嵌合により前記遊技盤に取り付けられる、
ことを特徴とする請求項１記載の遊技機。
【発明の詳細な説明】
【技術分野】
【０００１】
本発明は遊技機に関して、特に遊技盤に対する遊技部材の取り付け構造に関するものである。
【背景技術】
【０００２】
従来のパチンコ機は、遊技球が転動する遊技盤に遊技球を受け入れるための各種入賞口などの様々な種類の遊技部材が取り付けられている。そして、このような遊技部材の遊技盤への取り付けに関しては種々の提案がなされている。
【０００３】
例えば、ビスなどによって遊技部材を遊技盤に固定する取り付けが知られている。しかし、この固定形態では、ビス止めの作業が面倒な上、ビスが外観から視認できるので見栄えがよくない。
【０００４】
また、遊技盤における遊技部材の取り付け位置に貫通孔を設け、さらに遊技盤の裏面側の当該貫通孔の壁面に沿う部分に切り欠き部を形成する一方、遊技部材に先端がフック状となって当該切り欠き部に対応する一対の突出部を設け、当該フックを遊技盤の切り欠き部に係止させる取り付け技術も提案されている。しかし、このような形態では、遊技盤の切り欠き部にフックを係止するための加工が必要であり、それぞれの遊技部材にフックを有する突出部を設ける必要があるため、加工の工程が増え、コストもかかりやすいという問題がある。
【０００５】
さらに、特開２００１−１１２９５０号公報には、遊技部材である第１ユニットと当該第１ユニットのベース部材である第２ユニットとに互いが係合する係合部を設け、当該係合部を介して、第１ユニットと第２ユニットとで遊技盤を挟み込むことによって、遊技盤に対して第１ユニットを固定する技術が記載されている。
【特許文献１】特開２００１−１１２９５０号公報
【発明の開示】
【発明が解決しようとする課題】
【０００６】
しかし、このような遊技部材を取り付ける技術も、遊技部材が二つのユニットに分かれているために、製造上のコストが高くなることに加え、遊技盤における遊技部材に要する面積も大きくなりやすいという問題を有している。
【０００７】
そこで、本発明は、遊技盤に対する遊技部材の取り付け作業を低コスト下で容易に行うことができる遊技機を提供することを目的とする。
【課題を解決するための手段】
【０００８】
上記課題を解決するため、請求項１に記載の本発明の遊技機は、遊技球が転動流下する遊技領域を備え、当該遊技領域に遊技部材を取り付けた遊技盤と、前記遊技部材の前記遊技盤への取付面側には第１のベルクロテープが設けられ、前記遊技盤の前記遊技部材と対面する部分には、前記第１のベルクロテープと結合可能な第２のベルクロテープが設けられ、前記遊技部材は、前記第１のベルクロテープと前記第２のベルクロテープとの結合により前記遊技盤に取り付けられることを特徴とする。
【０００９】
このように、遊技盤と遊技部材とが合わさる位置にそれぞれベルクロテープが設けられており、遊技部材側に設けられた第１のベルクロテープと遊技盤側に設けられた第２のベルクロテープとを貼り合わせることによって、遊技部材は遊技盤の表面に取り付けられるようになっている。
【００１０】
これにより、遊技部材を遊技盤に取り付ける作業は、第１のベルクロテープと第２のベルクロテープとを貼り合わせるのみの作業となるので、ビス止め等の作業工程が不要になり、遊技部材の取り付け作業に関する労力を軽減することが可能になる。
【００１１】
また、遊技部材を遊技盤に取り付ける際、遊技盤に遊技部材固定用の貫通孔を設けたり、遊技部材のベース部材を作成する必要がないため、遊技盤やベース部材を加工する工程を大幅に削減することができるので、製造コストを削減することが可能になる。
【００１２】
また、従来の遊技部材を取り付ける技術では、遊技部材における取付部分を大きく取らなくては遊技部材を支える強度を確保できなため、遊技部材を大きくする必要があった。しかし、ベルクロテープは遊技部材の取付面側全体に設けることが可能であるので小さな取付面でも十分に遊技部材を支える強度を確保することができるため、遊技部材を大きくする必要がなく、遊技部材を小さくすることが可能になる。
【００１３】
このように、遊技盤に対する遊技部材の取り付け作業を低コスト下で容易に行うことができるようになる。
【００１４】
請求項２に記載の本発明は、請求項１に記載の発明の構成に加えて、前記遊技部材の前記取付面側は、第１の嵌合部が設けられ、前記遊技盤の前記遊技部材と対向する部分には、前記第１の嵌合部と凹凸嵌合する第２の嵌合部が設けられ、前記遊技部材は、前記第１の嵌合部と前記第２の嵌合部との嵌合により前記遊技盤に取り付けられる、ことを特徴とすることを特徴とする。
【００１５】
これにより、遊技部材の取付面側に設けられた第１の嵌合部を遊技盤に設けられた第２の嵌合部に嵌め込むことによって、遊技部材を遊技盤に取り付ける際、遊技部材の位置決めを容易に行うことができる。
【００１６】
すなわち、単に第１のベルクロテープと第２のベルクロテープとを貼り合わせるのみならず、第１の嵌合部を第２の嵌合部に嵌め込むことにより、遊技部材の遊技盤における位置が固定され遊技盤に取り付けられた遊技部材の位置がずれたり、ガタツキ等の発生を防止することが可能になる。
【発明の効果】
【００１７】
本発明によれば、遊技部材の遊技盤への取付面側に第１のベルクロテープを設け、遊技盤の遊技部材と対面する部分に第２のベルクロテープを設けることにより、遊技部材を遊技盤に取り付ける作業は、第１のベルクロテープと第２のベルクロテープとを貼り合わせるのみの作業となるので、遊技盤の加工や取り付けに要する作業労力を削減し、遊技部材の取り付け作業におけるコストを抑制することができる。
【発明を実施するための最良の形態】
【００１８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１９】
図１は本実施の形態に係る遊技機の構成を示す斜視図、図２は図１に示した遊技機の遊技盤を示す正面図、図３は本実施の形態に係る遊技部材を取り外した遊技盤を示す正面図、図４は本実施の形態に係る電動部材と遊技盤との要部を示す分解斜視図、図５は本実施の形態に係る電動部材の裏面側を示す図である。
【００２０】
図１および図２に示すように、パチンコ遊技機（遊技機）１は、遊技盤２（図２）が装着されるベースドア３ａがヒンジ（図示せず）を介して島設備に固定されるベース枠３ｂに回動可能に取り付けられ（すなわち、ベースドア３ａは、ベースドア３ａの一方端を回動支点として支持されて当該ベース枠３ｂに開閉自在に支持されて装着される。）、これらベースドア３ａおよびベース枠３ｂで遊技機本体３が構成されている。そして、このような遊技機本体３のベースドア３ａに対して、スピーカ８ａ，８ｂ、遊技盤２を視認可能に被うガラス扉４、皿ユニット５、およびハンドル７が備えられている。
【００２１】
これらガラス扉４および皿ユニット５は、その一端が遊技機本体３に回動可能に軸支されており、他端が遊技機本体３に係合するようになっている。
【００２２】
遊技盤２（図２）は、レール６に包囲され、遊技球の流下が可能な遊技領域２ａを有している。そして、その遊技領域２ａには、多数の遊技くぎや風車などの障害物（図示せず）が配置されている。
【００２３】
また、遊技領域２ａに形成された一般入賞口取付領域１２−２、通過ゲート取付領域１３−２、大入賞口取付領域１５−２、アウト口取付領域１６−２、電動部材取付領域１８−２、ステージ取付領域２０−２（図３参照）には、それぞれ、一般入賞口１２−１、通過ゲート１３−１、大入賞口１５−１、アウト口１６−１、電動部材１８−１、ステージ２０−１などの遊技部材が配置されている。なお、これらの遊技部材の遊技領域２ａへの取り付けの詳細については後述する。
【００２４】
ここで、一般入賞口１２−１は、遊技球が入賞すると所定の数の遊技球が払い戻される装置、通過ゲート１３−１は、遊技球が通過したことを契機として普通図柄表示器２５ａ，２５ｂ（後述）を点滅させるための装置である。
【００２５】
可変入賞装置である大入賞口１５−１は、扉が閉じて遊技球の受け入れが困難となる閉状態と、扉が開放して遊技球の受け入れが容易となる開状態とに変化することが可能となっている。
【００２６】
電動部材１８−１は、遊技球の受け入れ口を有しており、当該受け入れ口に入球した遊技球は、電動部材１８−１の内部を通過するようになっている。さらに電動部材１８−１は、可変翼１７ａ，１７ｂを有しており、遊技球が入賞し易い開状態と遊技球が入賞し難い閉状態とに変化可能になっている。
【００２７】
アウト口１６−１は、一般入賞口１２−１、電動部材１８−１、大入賞口１５−１の何れにも入賞しなかった遊技球が流入して回収される装置である。
【００２８】
ステージ２０−１は、遊技球が転動流下するステージを備えており、当該ステージに到達した遊技球は、電動部材１８−１へ誘導されやすくなっている。
【００２９】
また、遊技盤２の背面には、演出画像（例えば、遊技状態に対応したアニメーションやその他の報知情報など）等を表示可能な表示領域２１ａを有する液晶表示装置（表示手段）２１が配置されている。
【００３０】
そして、遊技盤２が透明である本実施の形態では、液晶表示装置２１の表示領域２１ａが遊技盤２を通して視認可能に配置されている。ここで、液晶表示装置２１にかえて、例えばＣＲＴ（陰極線管）あるいはプラズマディスプレイ等を用いることもできる。
【００３１】
さらに、遊技盤２の下方には、図１に示すように皿ユニット５が配置されている。皿ユニット５の上部に、払い出された遊技球および遊技領域２ａに打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー８が設けられている。
【００３２】
皿ユニット５の右側には、レール６を介して遊技領域２ａへ遊技球を発射する際に回転操作されるハンドル７が設けられている。ハンドル７には遊技球の発射を停止するストップボタン（図示せず）が設けられている。
【００３３】
遊技者が上記ハンドル７を回転して打ち出し操作をすることにより、上皿５ａ中の遊技球が、発射球供給装置（図示せず）により発射装置９０に送出されて、当該発射装置９０によりレール６に沿って遊技領域２ａに発射される。
【００３４】
次に、図３を参照して、遊技盤２の遊技領域２ａに対する遊技部材の取り付け構造について説明する。なお、図３は本実施の形態に係る遊技部材を取り外した遊技盤２の正面を示す正面図である。
【００３５】
図３に示すように、遊技盤２の遊技領域２ａには、複数の取付領域（一般入賞口取付領域１２−２、通過ゲート取付領域１３−２、大入賞口取付領域１５−２、アウト口取付領域１６−２、電動部材取付領域１８−２、ステージ取付領域２０−２）がそれぞれ所定の箇所に配置されている。
【００３６】
そして、それぞれの取付領域には、貼着手段としての第２のベルクロテープ４１（４１−１，４１−２，４１−３，４１−４，４１−５，４１−６）が設けられている。これらの第２のベルクロテープ４１はフック状に起毛されており、ループ状に起毛した他のベルクロテープと結合可能になっている。
【００３７】
さらに、それぞれの取付領域には、挿入部(第２の嵌合部）４３（４３−１，４３−２，４３−３，４３−４，４３−５，４３−６）が形成されている。これらの挿入部４３は、それぞれの取付領域において、１個または複数個形成されており、後述する突起部(第１の嵌合部）４４と凹凸嵌合するようになっている。
【００３８】
また、一般入賞口１２−１、通過ゲート１３−１、大入賞口１５−１、アウト口１６−１、電動部材１８−１、ステージ２０−１の各遊技部材の裏面側には、それぞれ、貼着手段である第１のベルクロテープ４２（４２−１，４２−２，４２−３，４２−４，４２−５，４２−６）が設けられている。これらの第１のベルクロテープ４２はループ状に起毛されており、フック状に起毛した第２のベルクロテープ４１と結合可能になっている。
【００３９】
さらに、それぞれの遊技部材の裏面側には、突起部（第１の嵌合部）４４（４４−１，４４−２，４４−３，４４−４，４４−５，４４−６）が形成されている。これらの突起部４４は、各遊技部材に対応する取付領域に形成されている挿入部４３に凹凸嵌合するようになっている。
【００４０】
次に、遊技部材を対応する取付領域に取り付ける取付構造の一例として、図４および図５を参照しながら遊技領域２ａに対する電動部材１８−１の取付構造について説明する。ここで、図４は本実施の形態に係る電動部材１８−１と遊技盤２の要部との分解斜視図であり、図５は本実施の形態に係る電動部材１８−１の裏面側を示す図である。
【００４１】
電動部材１８−１は、ベース部材５０、始動口１４、普通電動役物１７、普通電動役物１７に設けられた可変翼１７ａ，１７ｂを開閉駆動させる駆動装置３０、第１のベルクロテープ４２−５、突起部４４−５から構成されている。
【００４２】
具体的には、ベース部材５０の表面側には始動口１４と普通電動役物１７とが上下方向に並べて設けられており、ベース部材５０の裏面側（遊技盤２に対面する側）には駆動装置３０と第１のベルクロテープ４２−５とが設けられ、さらにベース部材５０の上端と左右両端に突起部４４−５が第１のベルクロテープ４２−５を囲むように設けられている(図５参照）。
【００４３】
一方、遊技領域２ａにおける電動部材取付領域１８−２(図３参照）には、図４に示すように、第１のベルクロテープ４２−５に対応する位置に第２のベルクロテープ４１−５が設けられている。また、突起部４４−５に対応する位置には挿入部４３−５が形成されている。この突起部４４−５と挿入部４３−５とは、それぞれ対応する位置の３箇所に配置されており、互いに凹凸嵌合するようになっている。
【００４４】
そして、電動部材１８−１を電動部材取付領域１８−２に取り付ける場合は、電動部材１８−１の裏面側に形成された突起部４４−５を電動部材取付領域１８−２に形成された挿入部４３−５に挿入する。これにより、挿入端において電動部材１８−１の裏面側に設けられた第１のベルクロテープ４２−５が、電動部材１８−２に設けられた第２のベルクロテープ４１−５に押圧力によって貼り合わされる。
【００４５】
これにより、電動部材１８−１は、その裏面側に設けられている第１のベルクロテープ４２−５を、電動部材取付領域１８−２に設けられた第２のベルクロテープ４１−５に貼り合わせる作業のみによって、遊技領域２ａに取り付けることができるようになっている。したがって、ビス止め等の作業工程が不要になり、遊技部材の取り付け作業に関する労力を軽減することができる。
【００４６】
また、第１のベルクロテープ４２−５と第２のベルクロテープ４１−５とを貼り合わせる際、電動部材１８−１の裏面側に設けられた突起部４４−５を、電動部材取付領域１８−２に設けられた挿入部４３−５に挿入すると、突起部４４−５と挿入部４３−５とは凹凸嵌合するので、電動部材１８−１は電動部材取付領域１８−２に位置決めされて取り付けられるようになっている。
【００４７】
単に電動部材部第１のベルクロテープ４２−５と電動部材取付領域部第２のベルクロテープ４１−５とを貼り合わせることによって電動部材１８−１を電動部材取付領域１８−２に取り付ける場合は、若干の位置のずれが生じる場合があるが、本実施の形態においては、電動部材部突起部４４−５を電動部材取付領域部挿入部４３−５に嵌め込むことにより、電動部材１８−１の電動部材取付領域１８−２における位置が固定されるので、遊技領域２ａに取り付けられた電動部材１８−１の位置ずれやガタツキ等の発生が防止される。
【００４８】
なお、他の遊技部材（一般入賞口１２−１、通過ゲート１３−１、大入賞口１５−１、アウト口１６−１、ステージ２０−１）も、上記電動部材１８−１と同様に、突起部４４と挿入部４３とで位置決めされた上で、第２のベルクロテープ４１と第１のベルクロテープ４２とにより、取付領域に取り付けられるようになっている。
【００４９】
以上説明したように、本実施の形態では、遊技盤２における取付領域と遊技部材とに互いが合わさる位置にそれぞれ第２のベルクロテープ４１と第１のベルクロテープ４２とが設けられており、当該第２のベルクロテープ４１と第１のベルクロテープ４２とを貼り合わせることにより、遊技部材は遊技盤２に取り付けられるようになっている。
【００５０】
これにより、遊技部材を遊技盤２の遊技領域２ａに取り付ける作業は、遊技部材の裏面側に設けられた第１のベルクロテープ４２を取付領域に設けられた第２のベルクロテープ４１に貼り付けるのみの作業となる。そのため、ビス止め等の作業工程が不要になり、遊技部材の取り付け作業に関する労力を軽減することができるようになっている。また、遊技部材を取付領域に取り付ける際、取付領域に遊技部材固定用の貫通孔を設けたり、遊技部材のベース部材を作成する必要がないため、遊技盤やベース部材を加工する工程を大幅に削減することができるので、製造コストを削減することが可能になっている。
【００５１】
このように、遊技盤に対する遊技部材の取り付け作業を低コスト下で容易に行うことができるようになっている。
【００５２】
また、それぞれの遊技部材の裏面側には突起部（第１の嵌合部）４４が設けられ、遊技領域２ａにおけるぞれぞれの遊技部材に対応する取付領域には、当該突起部４４を挿入するための挿入部（第２の嵌合部）４３が設けられており、当該突起部４４と挿入部４３とは凹凸嵌合するようになっている。
【００５３】
これにより、遊技部材の突起部４４を取付領域の挿入部４３に嵌め込むことによって、遊技部材を取付領域にベルクロテープを介して取り付ける際、遊技部材の位置決めを容易に行うことができるようになっている。
【００５４】
すなわち、単に、取付領域の第２のベルクロテープ４１と遊技部材の第１のベルクロテープ４２とを貼り合わせることによって遊技部材を取付領域に取り付ける場合、遊技部材の突起部４４を取付領域の挿入部４３に嵌め込むことにより、遊技部材の遊技盤における位置が固定され、遊技盤における取付領域に取り付けられた遊技部材の位置ずれやガタツキ等の発生を防止することが可能になっている。
【００５５】
さらに、遊技盤が透明状となっており背後の演出表示装置における画像を遊技盤を介して視認することができる遊技機の場合、遊技盤を加工することがないため、加工部分や加工の際のひび割れなどによって、遊技盤の背後の画像が見にくくなるということをなくす子ができる。
【００５６】
なお、以上説明した実施の形態において、各取付領域に設けられた第２のベルクロテープ４１はフック状に起毛しており、ループ状に起毛された遊技部材に設けられた第１のベルクロテープ４２と結合するようになっているが、これに限らず、たとえば、第２のベルクロテープ４１をループ状に起毛したものとし、第１のベルクロテープ４２をフック状に起毛したものとしてもよい。また、第２のベルクロテープ４１と第１のベルクロテープ４２とをそれぞれフック状とループ状の起毛が混在したものとし、互いに結合するようにしてもよい。
【００５７】
また、貼着手段であるベルクロテープを、遊技盤における各取付領域と遊技部材の遊技盤への取付面側とに設けることにより、各遊技部材を遊技盤における取付領域に取り付けているが、これに限らず、たとえば貼着手段として粘着性を有するテープや磁石などを用いて遊技部材を遊技盤に取り付けるようにしてもよい。すなわち、貼着手段は別途加工を要するような部材を用いずに遊技部材を遊技盤に取り付けられる手段であればよい。なお、粘着性を有するテープや磁石を貼着手段として用いる場合は、遊技盤における各取付領域と遊技部材の遊技盤への取付面側との両方にそれらを設けてもよいし、どちらか一方にのみそれらを設けるようにしてもよい。
【産業上の利用可能性】
【００５８】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【００５９】
【図１】本実施の形態に係る遊技機の構成を示す斜視図である。
【図２】図１に示した遊技機の遊技盤を示す正面図である。
【図３】本実施の形態に係る遊技部材を取り外した遊技盤を示す正面図である。
【図４】本実施の形態に係る電動部材と遊技盤との要部を示す分解斜視図である。
【図５】本実施の形態に係る電動部材の裏面側を示す図である。
【符号の説明】
【００６０】
１  遊技機
２  遊技盤
２ａ  遊技領域
３  遊技機本体
３ａ  ベースドア
３ｂ  ベース枠
４  ガラス扉
５  皿ユニット
５ａ  上皿
５ｂ  下皿
６  レール
７  ハンドル
８  シャッタレバー
８ａ，８ｂ  スピーカ
１２−１  一般入賞口
１２−２  一般入賞口取付領域
１３−１  通過ゲート
１３−２  通過ゲート取付領域
１４  始動口
１５−１  大入賞口
１５−２  大入賞口取付領域
１６−１  アウト口
１６−２  アウト口取付領域
１７  普通電動役物
１７ａ，１７ｂ  可変翼
１８−１  電動部材
１８−２  電動部材取付領域
２０−１  ステージ
２０−２  ステージ取付領域
２１  液晶表示装置
２１ａ  表示領域
２５ａ  普通図柄表示器
３０  駆動装置
４１，４１−１，４１−２，４１−３，４１−４，４１−５，４１−６  第２のベルクロテープ
４２，４２−１，４２−２，４２−３，４２−４，４２−５，４２−６  第１のベルクロテープ
４３，４３−１，４３−２，４３−３，４３−４，４３−５，４３−６  挿入部
４４，４４−１，４４−２，４４−３，４４−４，４４−５，４４−６  突起部
５０  ベース部材
９０  発射装置
【図１】
2008029567.tif 000003
【図２】
2008029567.tif 000004
【図３】
2008029567.tif 000005
【図４】
2008029567.tif 000006
【図５】
2008029567.tif 000007